(57)【要約】【課題】送風機からの送風によって、遊泳室の下端底面部から上端開口部に流れるように上昇気流が形成され、その上昇気流によって前記遊泳室内で遊泳者が浮遊状態に維持されるように構成された空中遊泳模擬体験装置において、体重や技術レベルに関係なく多人数が同時に空中遊泳できることが望まれている。【解決手段】遊泳室の形状を検討することで遊泳室内の流速分布を調整し、多人数が出入りできるように遊泳室内に複数のステップ部を設ける。【選択図】図１
2007097813.tif 000002
【特許請求の範囲】
【請求項１】
円筒状の遊泳室の下部に送風機を配置し、該送風機からの送風によって、遊泳室の下端底面部から上端開口部に流れるように上昇気流を形成し、その上昇気流によって前記遊泳室内で遊泳者が浮遊状態に維持されるように構成された空中遊泳模擬体験装置において、前記遊泳室の上端開口部を下端底面部よりも広くしたことを特徴とする空中遊泳模擬体験装置。
【請求項２】
前記遊泳室の内壁に一又は複数の遊泳者が待避可能なステップ部を設けたことを特徴とする請求項１記載の空中遊泳模擬体験装置。
【請求項３】
前記ステップ部の下部に空気取入れ孔を設けたことを特徴とする、請求項１又は請求項２に記載の空中遊泳模擬体験装置。
【発明の詳細な説明】
【技術分野】
【０００１】
本発明は空中遊泳を模擬的に体験できる空中遊泳模擬体験装置に関する。
【背景技術】
【０００２】
近年、スカイダイビングの自由降下状態を模擬的に体験できる装置として空中遊泳模擬体験装置（特許文献１参照）や自由降下模擬体験装置（特許文献２参照）と呼ばれるものが開発され、自由降下の練習用や娯楽用途として利用されている。これらは送風機からの送風によって、遊泳室の下方から上方に流れるように上昇気流が形成され、その風速を自由降下時と同様に人間と空気との相対速度を等しくすることで遊泳室内において遊泳者が浮遊状態を体験できるようにしたものである。実際にスカイダイビングを行う場合は多額の費用と訓練時間を要するため手軽に楽しむことは難しいが、これらの装置を利用することで手軽に遊泳状態が模擬的に体験できる。
【０００３】
従来の装置は、落下傘降下の練習用という目的もあり高度な技術者を養成するための設備としての要素が強く娯楽設備として機能性・娯楽性を高めたものではない。例えば、特許文献１にあるように開閉蓋を設けたノズルを備えることで遊泳室内の気流の速度を変えうるようにしたものがある。また特許文献２にあるように実際の降下時における受風状態を再現することができるようにしたものがある。
【特許文献１】実開平５−８６３９０号公報
【特許文献２】特開平８−２９９５１６号公報
【発明の開示】
【発明が解決しようとする課題】
【０００４】
従来の装置においては、自由降下の練習者の使用を主に想定したものであり多人数での参加を意図したものではなく、娯楽性の欠けたものとなっていた。また遊泳者の体重に合わせて気流の速度を制御する技術はすでに特許文献１で公知になっているが、複数の遊泳者を意図して考えられたものではなく技術的に不十分であった。
【０００５】
本発明は、従来の空中遊泳模擬体験装置の係る問題点に鑑みてなされたもので、多人数がそれぞれの体重や技術レベルに関係なく同時に空中遊泳できるようになり、かつより安価に空中遊泳を楽しむことができる空中遊泳模擬体験装置を提供することを目的とする。
【課題を解決するための手段】
【０００６】
本発明の解決しようとする課題は以上の如くであり、次にこの課題を解決するための手段を説明する。
【０００７】
即ち、請求項１においては、遊泳室の上端開口部を下端底面部よりも広くしたものである。
【０００８】
請求項２においては、前記遊泳室の内壁に一又は複数の遊泳者が待避可能なステップ部を設けたものである。
【０００９】
請求項３においては、前記ステップ部の下部に空気取入れ孔を設けたものである。
【発明の効果】
【００１０】
本発明の効果として、以下に示すような効果を奏する。
【００１１】
請求項１においては、遊泳室の上端開口部を下端底面部よりも広くすることで遊泳室の上下に渡って流速分布を意図的に作り出すことが可能となる。そうすることで遊泳者の体重や技術レベルに適した流速を適宜選択することが可能となる。また複雑な送風機の操作やノズルの制御を必要としないため機械的なトラブルが少なくなる利点もある。
【００１２】
請求項２においては、前記遊泳室の内壁に一又は複数の遊泳者が待避可能なステップ部を設けることで遊泳室への多人数の出入りを容易にし、複数の人が同時に遊泳できるようになり、娯楽性がより高まる。
【００１３】
請求項３においては、空気取入れ孔からの上昇風により、ステップ部から飛び出し易く、また、ステップ部への着地が容易にできる。
【００１４】
以上述べたように、本願に係る空中遊泳模擬体験装置によれば、遊泳室の下端底面部から下端底面部よりも広くなった上端開口部へと上昇気流が形成されるようにすることで遊泳室内に流速分布が階層的に生じることになる。そのため遊泳者の体重や技能によって遊泳する位置を設定してやることで最適な遊泳体験をすることが可能となる。また体重が異なる複数の人間が同時に遊泳体験できることによりその娯楽性がより高まる。
【発明を実施するための最良の形態】
【００１５】
次に、発明の実施の形態を説明する。
図１は本発明の実施例１に係る空中遊泳模擬体験装置の正面断面図、図２は同じく斜視図、図３は本発明の実施例２に係る空中遊泳模擬体験装置の正面断面図、図４は空中遊泳模擬体験装置用遊泳着（畳んだ状態）の模式図、図５は空中遊泳模擬体験装置用遊泳着（広げた状態）の模式図、図６は空中遊泳模擬体験装置用ヘルメットの側面図である。  
【実施例１】
【００１６】
本発明の実施例１を、添付図面を参照して説明する。図１、図２で示した空中遊泳模擬体験装置は、全体としては所定高さの円柱状である。その円柱内部に内壁１０に囲まれた遊泳空間としてのすり鉢状の遊泳室１２が形成されており、この遊泳室１２の下端底面部１３は複数の送風孔３を備えたソフトラバー製のクッション性を有する床マット２が敷設されている。また、遊泳室１２の上端開口部１４には遊泳者8が遊泳室１２から飛び出さないように保護ネット７が張設されている。なお、本実施例では下端底面部１３にソフトラバー製の床マット２を使用しているが、これに限るものではなく、他のネット状のものを張設しても構わない。
【００１７】
床マット２の下部には、上昇気流発生のための送風機１が複数並設配置され、その下面と底内面１７の間には所定幅の吸気通路１８が形成されている。外壁１９の下端部には、吸気通路１８と連通しているルーバーを備えた吸気口１６が開口形成されている。ここから外気を吸気して吸気通路１８を通じて送風機１へ送られる。
【００１８】
送風機１は、同一平面内の遊泳室１２下面に略一様に上昇風を発生するように複数並設配置されており、その台数は限定するものではない。
【００１９】
遊泳室１２は、内壁１０に遊泳者８が待避可能なステップ部５を有した待避層１５ａ，１５ｂが周方向に沿って円環溝状に開口形成されている。該待避層１５ａ，１５ｂは上下平行に複数配設することで、遊泳高さを選択できるようにしており、レベルにあった遊泳を可能としている。なお、退避層の数は限定するものではなく、また、螺旋状に構成することも可能である。またステップ部５の下部近傍には遊泳者８の出入りをし易くするための空気取入れ孔４が斜め下方中央側に延びるように設けて遊泳室１２と連通している。さらに待避層１５ａ，１５ｂには空気調節孔１１が連設されている。
【００２０】
上記のように構成された空中遊泳模擬体験装置では、送風機１を稼動させることで吸気口１６から外気が取り込まれ吸気通路１８を通じて床マット２の送風孔３から遊泳室１２内に送られる。送られた外気が遊泳室１２内で上昇気流を発生させ、遊泳室１２内を通過して上端開口部１４から排出される。
【００２１】
送風機１を制御することで、遊泳室１２内の上昇気流の流速を約７０ｍ／秒となるように設定し、待避者９は待避層１５ａ，１５ｂのステップ部５から遊泳室１２内へ飛び出し、上昇気流をバランスよく受け止めることで、遊泳者８のように浮遊状態を維持できるようになり空中遊泳が体験できる。
【００２２】
遊泳室１２においては、その内壁１０の正面断面形状を図１のようにすり鉢状とすることで、遊泳室１２の鉛直方向の位置によって上昇気流に強弱が生まれるようにすることができる。すなわち、送風機１を一定の回転数で回転させていても遊泳室１２内は送風機１から離れるほど水平面の断面積が広がるような形状になっていることから、下端底面部１３からの高さに応じて上昇気流の流速分布が階層的に形成される。つまり、送風機１に近い部分では流速が早く、遠く離れるにつれて流速が遅くなる。また、平面視において中央よりも壁面近くのほうが流速が遅くなる。
【００２３】
このように上端開口部１４が下端底面部１３よりも広くなった遊泳室１２を形成させたことにより、遊泳室１２の上下方向において上昇気流が階層的になるため、遊泳者が自ら遊泳する位置を選択することで自分が望む流速を設定できることになり、体重や技能に応じたレベルでの遊泳体験が可能となる。更に、空気取入れ孔４から上昇側に空気が吹き出すので、ステップ部５より飛び出すときは急激に上昇することはなく、また、ステップ部５に着地するときも急激に落下することがないようにしている。
つまり本実施例の構成によれば、各遊泳者の体重・技術を問わずに多人数で空中遊泳を楽しむことが可能となる。
【実施例２】
【００２４】
本発明の実施例２を、添付図面を参照して説明する。図３で示した空中遊泳模擬体験装置は、全体としては所定高さの円柱状である。その円柱内部に内壁１０に囲まれて遊泳空間として上端開口部１４が下端底面部１３よりも広くなったチューブ上の遊泳室１２が形成されており、この遊泳室１２の下端底面部１３は複数の送風孔３を備えたソフトラバー製のクッション性を有する床マット２が敷設されている。また、遊泳室１２の上端開口部１４は遊泳者８が遊泳室１２から飛び出さないように保護ネット７が張設されている。なお、本実施例では下端底面部１３にソフトラバー製の床マット２を使用しているが、これに限るものではなく、他のネット状のものを張設しても構わない。
【００２５】
床マット２の下部には、上昇気流発生のための送風機１が複数並設配置され、その下面と底内面１７の間には所定幅の吸気通路１８が形成されている。外壁１９の下端部には、吸気通路１８と連通しているルーバーを備えた吸気口１６が開口形成されている。ここから外気を吸気して吸気通路１８を通じて送風機１へ送られる。
【００２６】
送風機１は、本実施例では同一平面内に４台並設配置されているが、台数は限定するものではない。
【００２７】
遊泳室１２は、内壁１０に遊泳者８が待避可能なステップ部５を有した待避層１５ａ，１５ｂが周方向に沿って円環溝状に開口形成されている。該待避層１５ａ，１５ｂは上下平行に複数配設することで、遊泳高さを選択できるようにしており、レベルにあった遊泳を可能としている。なお、退避層の数は限定するものではなく、また、螺旋状に構成することも可能である。またステップ部５の下部近傍には遊泳者８の出入りをし易くするための空気取入れ孔４が斜め下方中央側に延びるように設けて遊泳室１２と連通している。さらに待避層１５ａ，１５ｂには空気調節孔１１が連設されている。
【００２８】
上記のように構成された空中遊泳模擬体験装置では、送風機１を稼動させることで吸気口１６から外気が取り込まれ吸気通路１８を通じて床マット２の送風孔３から遊泳室１２内に送られる。送られた外気が遊泳室１２内で上昇気流を発生させ、遊泳室１２内を通過して上端開口部１４から排出される。
【００２９】
送風機１を制御することで、遊泳室１２内の上昇気流の流速を約７０ｍ／秒となるように設定し、待避者９は待避層１５ａ，１５ｂのステップ部５から遊泳室１２内へ飛び出し、上昇気流をバランスよく受け止めることで、遊泳者８のように浮遊状態を維持できるようになり空中遊泳が体験できる。
【００３０】
遊泳室１２においては、その内壁１０の正面断面形状を図３のようにすることで、遊泳室１２の鉛直方向の位置によって上昇気流に強弱が生まれるようにすることができる。すなわち、送風機１を一定の回転数で回転させていても遊泳室１２内は送風機１から離れるほど水平面の断面積が広がるような形状になっていることから、下端底面部１３からの高さに応じて上昇気流の流速分布が階層的に形成される。つまり、送風機１に近い部分では流速が早く、遠く離れるにつれて流速が遅くなる。また、平面視において中央よりも壁面近くのほうが流速が遅くなる。
【００３１】
このように上端開口部１４が下端底面部１３よりも広くなった遊泳室１２を形成させたことにより、遊泳室１２の上下方向において上昇気流が階層的になるため、遊泳者８が自ら遊泳する位置を選択することで自分が望む流速を設定できることになり、体重や技能に応じたレベルでの遊泳体験が可能となる。更に、空気取入れ孔４から上昇側に空気が吹き出すので、ステップ部５より飛び出すときは急激に上昇することはなく、また、ステップ部５に着地するときも急激に落下することがないようにしている。
【００３２】
つまり本実施例の構成によれば、各遊泳者の体重・技術を問わずに多人数で空中遊泳を楽しむことが可能となる。
【００３３】
なお、本実施例では遊泳室１２内にはネットを張設していないが、遊泳室１２内の上部の待避層１５ａと下部の待避層１５ｂの中間部にネットを水平に張設しても構わない。また水平方向にネットを張らずに鉛直方向にネットを張設して、遊泳者８の上下の遊泳自由度を広げた形にしても構わない。さらに遊泳室１２内の圧力損失を少なくするために待避層１５ａ，１５ｂにおいて内壁１０に面するように開口部を透明防護壁で覆い、透明防護壁の周方向において等間隔に数箇所の遊泳室１２内へ出入り可能なドアを設けるように構成しても構わない。
【実施例３】
【００３４】
実施例１で説明した図１の空中遊泳模擬体験装置において、図４、図５で示した空中遊泳模擬体験装置用遊泳着と図６で示した空中遊泳模擬体験装置用ヘルメットを遊泳者８が装着することで、より効率的に上昇気流を受けて、かつ安全に空中遊泳を体験することが可能となる。
【００３５】
つまり図４の状態では、受風部が畳まれた状態であるため上昇気流に対する抵抗が小さくなり下方へ下がる力が大きくなる。反対に図５のように受風部を広げた状態では上昇気流に対して抵抗が大きくなり上方へ上がる力が働く。遊泳者８がうまく受風部を広げたり畳んだりすることで遊泳室１２内において上下前後左右の遊泳の制御が可能となった。さらに図６のヘルメットには救出サイン点灯ランプ２１と外部との交信で使用するマイク２２，レシーバー２３を備えており遊泳時の安全性を確保できる。
【図面の簡単な説明】
【００３６】
【図１】本発明の実施例１に係る空中遊泳模擬体験装置の正面断面図。
【図２】同じく斜視図。
【図３】本発明の実施例２に係る空中遊泳模擬体験装置の正面断面図。
【図４】空中遊泳模擬体験装置用遊泳着（畳んだ状態）の模式図。
【図５】空中遊泳模擬体験装置用遊泳着（広げた状態）の模式図。
【図６】空中遊泳模擬体験装置用ヘルメットの側面図。
【符号の説明】
【００３７】
１    送風機
２    床マット
３    送風孔
４    空気取入れ孔
５    ステップ部
６    階段
７    保護ネット
８    遊泳者
９    待避者
１０  内壁
１１  空気調節孔
１２  遊泳室
１３  下端底面部
１４  上端開口部
１５a 待避層
１５b 待避層
１６  吸気口
１７  底内面
１８  吸気通路
１９  外壁
２０  受風部
２１  救出サイン点灯ランプ
２２  マイク
２３  レシーバー
【図１】
2007097813.tif 000003
【図２】
2007097813.tif 000004
【図３】
2007097813.tif 000005
【図４】
2007097813.tif 000006
【図５】
2007097813.tif 000007
【図６】
2007097813.tif 000008